(57)【要約】【課題】転がり軸受けと滑り軸受けとの切替えを運転状態に応じて実行することができる内燃機関の軸受け装置を提供する。【解決手段】内燃機関の軸受け装置は、回転軸と、ころと、ころ保持器と、外輪と、ハウジングと、回転軸内潤滑油経路と、潤滑油経路と、固定軸と、制御手段と、を備える。潤滑油経路は、ハウジング外に設けられた通路と、ハウジングに設けられた通路と、外輪に設けられた通路（孔）と、ころ保持器に設けられた通路（孔）と、回転軸に設けられた通路とから成る。固定軸は、潤滑油経路内を移動可能な部材である。制御手段は、固定軸を移動させることで、転がり軸受け機能と滑り軸受け機能とを運転状態に応じて切り替える。【選択図】図１
2010196835.tif 000002
【特許請求の範囲】
【請求項１】
回転軸と、
前記回転軸の外周に設けられたころ保持器と、
前記回転軸の外周位置で前記ころ保持器により保持された複数のころと、
前記ころ保持器の外周に設けられた外輪と、
前記外輪の外周に設けられたハウジングと、
前記回転軸の延在方向に設けられた回転軸内潤滑油経路と、
前記回転軸内潤滑油経路と連通し、前記ハウジングの外部から前記回転軸内潤滑油経路にかけて設けられ、前記ハウジング内、前記外輪内、前記ころ保持器内、及び前記回転軸内に経路を有する潤滑油経路と、
前記潤滑油経路内に配置された固定軸と、
前記固定軸を移動させることで、転がり軸受け機能と滑り軸受け機能とを運転状態に応じて切り替える制御手段と、を備えることを特徴とする内燃機関の軸受け装置。
【請求項２】
前記制御手段は、転がり軸受け機能に切り替える場合、前記固定軸により前記ハウジングと前記外輪とを一体に固定し、滑り軸受け機能に切り替える場合、前記固定軸により前記回転軸と前記ころ保持器と前記外輪とを一体に固定する請求項１に記載の内燃機関の軸受け装置。
【請求項３】
前記潤滑油経路に設けられたオイルポンプと、
前記ハウジングの前記潤滑油経路と前記オイルポンプとの間の前記潤滑油経路に設けられた油圧調整バルブと、
前記回転軸内の前記潤滑油経路に設けられ、前記固定軸の前記回転軸内潤滑油経路側への移動を制限する第１ストッパと、
前記ハウジング内の前記潤滑油経路に設けられ、前記固定軸の前記オイルポンプ側への移動を制限する第２ストッパと、をさらに備え、
前記制御手段は、前記油圧調整バルブの開度を調整することにより、前記第１ストッパと前記第２ストッパとの間で前記固定軸の位置を移動させる請求項１または２に記載の内燃機関の軸受け装置。
【請求項４】
前記制御手段は、前記転がり軸受け機能と前記滑り軸受け機能との切替えの遷移段階では、前記回転軸内潤滑油経路から前記固定軸への油圧と、前記油圧調整バルブから前記固定軸への油圧とを所定時間幅にわたり等しくする請求項１乃至３のいずれか一項に記載の内燃機関の軸受け装置。
【請求項５】
エンジンとモータとを駆動源とするハイブリッド車両に搭載され、
前記制御手段は、前記エンジンの停止中に、前記外輪内の前記潤滑油経路と前記ハウジング内の前記潤滑油経路とが前記固定軸の摺動方向に重なるように、前記回転軸を前記モータにより回転させる請求項１乃至４のいずれか一項に記載の内燃機関の軸受け装置。
【請求項６】
回転軸と、
前記回転軸の外周に設けられたころ保持器と、
前記回転軸の外周位置で前記ころ保持器により保持された複数のころと、
前記ころ保持器の外周に設けられた外輪と、
前記外輪の外周に設けられ、アッパーハウジングとロアハウジングとから形成されるハウジングと、
前記アッパーハウジングに、前記ロアハウジング側への油圧を供給するハウジング軸力調整用ポンプと、
前記ハウジング軸力調整用ポンプを駆動制御して前記アッパーハウジングと前記ロアハウジングとの締付力を調整することで、転がり軸受け機能と滑り軸受け機能とを切り替える制御手段と、を備えることを特徴とする内燃機関の軸受け装置。
【発明の詳細な説明】
【技術分野】
【０００１】
本発明は、転がり軸受けと滑り軸受けとを切替え可能な内燃機関の軸受け装置に関する。
【背景技術】
【０００２】
従来から、転がり軸受け機能と滑り軸受け機能とを併せ持つ軸受け装置が知られている。例えば特許文献１には、プレーンベアリングの外周にローラベアリングを配し、エンジン始動から中速回転域まではフリクションが小さいローラベアリング、中速域から高速域においてはプレーンベアリングがそれぞれ支配的に作用するベアリング構造が開示されている。また、特許文献２には、回転軸の低速回転時には転がり軸受けが回転し、回転軸の高速回転時には回転軸と保持器と外輪とが一体回転軸としてハウジング内面を摺動する構造を有する軸受け装置が開示されている。
【先行技術文献】
【特許文献】
【０００３】
【特許文献１】実開平０５−０５０１４３号公報
【特許文献２】特開２００８−００８４１２号公報
【発明の概要】
【発明が解決しようとする課題】
【０００４】
一般的に、運転状態によって、転がり軸受けと滑り軸受けとのいずれが適しているか異なる。具体的には、エンジンの始動時等の低油温時では、転がり軸受けは摩擦損失が滑り軸受けよりも低くなる。一方、高油温、高負荷時では、滑り軸受けは、摩擦損失や耐久性等の観点で転がり軸受けよりも優れている。従って、転がり軸受けと滑り軸受けとの切替えを運転状態に応じて実行できることが望ましい。しかし、特許文献１のベアリング構造は、フリクションとオイル攪拌とのバランスによってプレーンベアリングとローラベアリングが自動的に切り替わってしまう。同様に、特許文献２には、上記の問題は、何ら記載されていない。
【０００５】
本発明は、上記のような課題を解決するためになされたものであり、転がり軸受けと滑り軸受けとの切替えを運転状態に応じて実行することができる内燃機関の軸受け装置を提供することを目的とする。
【課題を解決するための手段】
【０００６】
本発明の１つの観点では、内燃機関の軸受け装置は、回転軸と、前記回転軸の外周に設けられたころ保持器と、前記回転軸の外周位置で前記ころ保持器により保持された複数のころと、前記ころ保持器の外周に設けられた外輪と、前記外輪の外周に設けられたハウジングと、前記回転軸の延在方向に設けられた回転軸内潤滑油経路と、前記回転軸内潤滑油経路と連通し、前記ハウジングの外部から前記回転軸内潤滑油経路にかけて設けられ、前記ハウジング内、前記外輪内、前記ころ保持器内、及び前記回転軸内に経路を有する潤滑油経路と、前記潤滑油経路内に配置された固定軸と、前記固定軸を移動させることで、転がり軸受け機能と滑り軸受け機能とを運転状態に応じて切り替える制御手段と、を備える。
【０００７】
上記の内燃機関の軸受け装置は、回転軸と、ころと、ころ保持器と、外輪と、ハウジングと、回転軸内潤滑油経路と、潤滑油経路と、固定軸と、制御手段と、を備える。潤滑油経路は、ハウジング外に設けられた通路と、ハウジングに設けられた通路と、外輪に設けられた通路（孔）と、ころ保持器に設けられた通路（孔）と、回転軸に設けられた通路とから成る。固定軸は、潤滑油経路内を移動可能な固形の部材である。制御手段は、例えばＥＣＵ（Ｅｌｅｃｔｒｏｎｉｃ  Ｃｏｎｔｒｏｌ  Ｕｎｉｔ）であり、固定軸を移動させることで、転がり軸受け機能と滑り軸受け機能とを運転状態に応じて切り替える。このように、内燃機関の軸受け装置は、運転状態に応じて適切に転がり軸受け機能と滑り軸受け機能とを切り替えることで、摩擦損失の低減や耐久性の向上、騒音の抑制等を実現することができる。
【０００８】
上記の内燃機関の軸受け装置の一態様では、前記制御手段は、転がり軸受け機能に切り替える場合、前記固定軸により前記ハウジングと前記外輪とを一体に固定し、滑り軸受け機能に切り替える場合、前記固定軸により前記回転軸と前記ころ保持器と前記外輪とを一体に固定する。この態様では、制御手段は、エンジン始動時等では、固定軸をハウジング内の通路と外輪内の通路とにわたる位置に移動させることで、外輪とハウジングとを一体に固定し、内燃機関の軸受け装置を転がり軸受けとして機能させる。一方、制御手段は、高油温、高負荷時では、固定軸を回転軸ところ保持器と外輪とにわたる位置に移動させることで、回転軸ところ保持器と外輪とを一体に回転させ、内燃機関の軸受け装置を滑り軸受けとして機能させる。このように、内燃機関の軸受け装置は、適切に転がり軸受け機能と滑り軸受け機能とを切り替えることができる。
【０００９】
上記の内燃機関の軸受け装置の他の一態様では、前記潤滑油経路に設けられたオイルポンプと、前記ハウジングの前記潤滑油経路と前記オイルポンプとの間の前記潤滑油経路に設けられた油圧調整バルブと、前記回転軸内の前記潤滑油経路に設けられ、前記固定軸の前記回転軸内潤滑油経路側への移動を制限する第１ストッパと、前記ハウジング内の前記潤滑油経路に設けられ、前記固定軸の前記オイルポンプ側への移動を制限する第２ストッパと、をさらに備え、前記制御手段は、前記油圧調整バルブの開度を調整することにより、前記第１ストッパと前記第２ストッパとの間で前記固定軸の位置を移動させる。この態様では、制御手段は、油圧調整バルブの開度により固定軸への油圧を調整する。これにより、内燃機関の軸受け装置は、固定軸の位置を制御することができ、適切に転がり軸受け機能と滑り軸受け機能とを切り替えることができる。
【００１０】
上記の内燃機関の軸受け装置の他の一態様では、前記制御手段は、前記転がり軸受け機能と前記滑り軸受け機能との切替えの遷移段階では、前記回転軸内潤滑油経路から前記固定軸への油圧と、前記油圧調整バルブから前記固定軸への油圧とを所定時間幅にわたり等しくする。所定時間幅は、例えば、回転軸の回転数ところ保持器の回転数と外輪の回転数との回転数差が、固定軸の移動に際しショックが発生しない範囲の回転数差になる時間幅に設定される。このようにすることで、制御手段は、固定軸を移動させる際に、回転軸の回転数ところ保持器の回転数と外輪の回転数との回転数差を縮小させることができ、転がり軸受けと滑り軸受けとの切替えに起因したショックの発生を抑制することができる。
【００１１】
上記の内燃機関の軸受け装置の他の一態様では、エンジンとモータとを駆動源とするハイブリッド車両に搭載され、前記制御手段は、前記エンジンの停止中に、前記外輪内の前記潤滑油経路と前記ハウジング内の前記潤滑油経路とが前記固定軸の摺動方向に重なるように、前記回転軸を前記モータにより回転させる。このようにすることで、制御手段は、例えば、エンジン停止中のＥＶ走行時に転がり軸受け機能と滑り軸受け機能との切替えを実行することができる。また、制御手段は、次回のエンジン始動時に固定軸の制御を早期に開始できるように、外輪内の前記潤滑油経路と前記ハウジング内の前記潤滑油経路との位置合わせをすることも可能になる。
【００１２】
上記の内燃機関の軸受け装置の他の観点では、内燃機関の軸受け装置は、回転軸と、前記回転軸の外周に設けられたころ保持器と、前記回転軸の外周位置で前記ころ保持器により保持された複数のころと、前記ころ保持器の外周に設けられた外輪と、前記外輪の外周に設けられ、アッパーハウジングとロアハウジングとから形成されるハウジングと、前記アッパーハウジングに、前記ロアハウジング側への油圧を供給するハウジング軸力調整用ポンプと、前記ハウジング軸力調整用ポンプを駆動制御して前記アッパーハウジングと前記ロアハウジングとの締付力を調整することで、転がり軸受け機能と滑り軸受け機能とを切り替える制御手段と、を備える。
【００１３】
上記の内燃機関の軸受け装置は、回転軸と、ころと、ころ保持器と、外輪と、ハウジングと、ハウジング軸力調整用ポンプと、制御手段と、を備える。ハウジング軸力調整用ポンプは、アッパーハウジングに、ロアハウジング側への油圧を供給し、アッパーハウジングとロアハウジングとの締付力を増大させる。制御手段は、例えばＥＣＵであり、ハウジング軸力調整用ポンプを駆動制御してアッパーハウジングとロアハウジングとの締付力を調整することで、外輪とハウジング間のクリアランスを調整する。従って、制御手段は、上述の締付力を増大させて外輪とハウジングとを固定することで、内燃機関の軸受け装置を転がり軸受けとして機能させることができる。また、制御手段は、締付力を減少させることで、内燃機関の軸受け装置を滑り軸受けとして機能させることができる。
【図面の簡単な説明】
【００１４】
【図１】第１実施形態に係る内燃機関の軸受け装置の概略構成図を示す。
【図２】滑り軸受モードでの軸受け部の概略構成図である。
【図３】転がり軸受モードと滑り軸受モードとの使用領域を示すマップの一例である。
【図４】ストライベック線図を示す。
【図５】第１実施形態での処理手順を示すフローチャートの一例を示す。
【図６】第２実施形態における軸受け部のモード切替の遷移を表す図の一例である。
【図７】第３実施形態に係る内燃機関の軸受け装置が搭載されるハイブリッド車両の概略構成図である。
【図８】第３実施形態に係る軸受け部の転がり軸受モードと滑り軸受モードとにおける状態を表す図の一例である。
【図９】第４実施形態における内燃機関の軸受け装置の概略構成を示す図の一例である。
【発明を実施するための形態】
【００１５】
以下、図面を参照して本発明の好適な実施の形態について説明する。
【００１６】
［第１実施形態］
まず、第１実施形態における内燃機関の軸受け装置について説明する。以下では、まず、内燃機関の軸受け装置の構成について説明した後、内燃機関の軸受け装置が行う制御について説明する。
【００１７】
（装置構成）
図１は、本発明の第１実施形態に係る内燃機関の軸受け装置１００の断面図の一例を示す。図１では、内燃機関の軸受け装置１００は、後述するように、転がり軸受けとして機能している。内燃機関の軸受け装置１００は、軸受け部５０と、ＥＣＵ２２と、を有する。
【００１８】
軸受け部５０は、回転軸１を支持すると共に回転軸１を正確かつ滑らかに回転させる軸受け（ベアリング）である。軸受け部５０は、回転軸１と、ころ保持器３と、ころ４と、外輪５と、ハウジング６と、潤滑油経路７と、油圧調整バルブ８と、オイルポンプ９と、を有する。
【００１９】
回転軸１は、例えば、クランクシャフトやカムシャフトであり、エンジン等を原動力として回転する。ここでは、回転軸１は、一例として、左回り（即ち、反時計回り）に回転するものとする。回転軸１は、軸の中心位置で軸内部に延在する回転軸内潤滑油経路２を有する。回転軸内潤滑油経路２は、各部を潤滑するためのオイル（以後、「潤滑油」と呼ぶ。）が流れる。回転軸内潤滑油経路２は、後述する潤滑油経路７と連通する。
【００２０】
回転軸１の外周には、ころ保持器３が配置されている。ころ保持器３は、プレス加工や削り加工などで成形された円環状の形状を有し、複数のころ４を軸受け部５０の中で等間隔に保持する。ころ４は、例えば円筒状の転動体であり、回転軸１の軌道面と線で線接触しながら回転する。ころ保持器３の外周には、円筒状の外輪５が配置されている。ハウジング６は、鋳鉄製や鋼板製などの軸受箱であり、アッパーハウジング６ｘとロアハウジング６ｙとに分割されている。
【００２１】
潤滑油経路７は、回転軸内潤滑油経路２と連通し、ハウジング６の外部から回転軸内潤滑油経路２にかけて設けられ、ハウジング６内、外輪５内、ころ保持器３内、及び回転軸１内に経路を有する。即ち、潤滑油経路７は、回転軸１内の潤滑油経路７ａ、ころ保持器３内の潤滑油経路７ｂ、外輪５内の潤滑油経路７ｃ、及びハウジング６内の潤滑油経路７ｄとを有する。潤滑油経路７上には、油圧調整バルブ８と、オイルポンプ９と、固定軸１２と、第１ストッパ１０と、第２ストッパ１１と、がそれぞれ設置されている。
【００２２】
油圧調整バルブ８は、潤滑油経路７の開閉を行うバルブである。油圧調整バルブ８は、ＥＣＵ２２からの制御信号Ｓ８に基づきその開度が制御される。オイルポンプ９は、駆動することにより、回転軸内潤滑油経路２側へ油圧を発生させる。オイルポンプ９は、例えばクランクシャフト等の動力を利用して駆動する。
【００２３】
固定軸１２は、潤滑油経路７中で移動自在な部材であり、回転軸内潤滑油経路２から供給される油圧とオイルポンプ９から供給される油圧とに起因して移動する。固定軸１２の長さは、例えば、後述する制御が実行可能な長さに実験等に基づき定められる。
【００２４】
第１ストッパ１０は、回転軸１内の潤滑油経路７に設置される。第１ストッパ１０は、オイルポンプ９からの油圧により回転軸内潤滑油経路２側へ移動する固定軸１２の位置を制限する。即ち、固定軸１２は、第１ストッパ１０よりも回転軸内潤滑油経路２側への移動が制限される。第２ストッパ１１は、ハウジング６内の潤滑油経路７ｄに設置される。第２ストッパ１１は、オイルポンプ９側へ移動する固定軸１２の位置を制限する。即ち、固定軸１２は、第２ストッパ１１よりもオイルポンプ９側への移動が制限される。
【００２５】
アクセル開度センサ２０は、図示しないアクセルペダルの踏込み量、即ちアクセル開度を検出する。アクセル開度センサ２０は、検出値を検出信号Ｓ２０によりＥＣＵ２２へ供給する。
【００２６】
回転数センサ２１は、エンジン回転数を示す出力パルスを発生する。回転数センサ２１は、出力パルスを検出信号Ｓ２１によりＥＣＵ２２へ供給する。
【００２７】
ＥＣＵ２２は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＡ／Ｄ変換器などを含んで構成される。ＥＣＵ２２は、ＲＯＭに記憶したマップを参照することで、アクセル開度センサ２０及び回転数センサ２１によりエンジン１の負荷（以後、単に「負荷」と呼ぶ。）及びエンジン１の回転数（以後、単に「エンジン回転数」と呼ぶ。）を取得する。そして、ＥＣＵ２２は、油圧調整バルブ８の開度を制御することで固定軸１２の位置を制御する。これにより、ＥＣＵ２２は、外輪５とバウンジング６とを一体に固定するモード（以後、「転がり軸受モード」と呼ぶ。）と、回転軸１ところ保持器３と外輪５とを一体に固定し、それらを一体軸として回転させるモード（以後、「滑り軸受モード」と呼ぶ。）とを切り替える。このように、ＥＣＵ２２は、本発明における制御手段の一例である。
【００２８】
次に、図１及び図２を用いて、転がり軸受モード時と滑り軸受モード時の軸受け部５０の状態について説明する。
【００２９】
図１は、転がり軸受モード時の内燃機関の軸受け装置１００の状態を示す。図１に示すように、固定軸１２は、外輪５内の潤滑油経路７ｃとハウジング６内の潤滑油経路７ｄとにわたって位置する。即ち、固定軸１２は、ハウジング６に外輪５を固定する。このとき、回転軸内潤滑油経路２から供給される潤滑油の油圧（以後、「転がり潤滑油圧Ｐｒ」と呼ぶ。）により、回転軸１ところ保持器３の間及びころ保持器３と外輪５の間が潤滑され、ころ４が外輪５の内面を摺動する。このように、転がり軸受モードでは、軸受け部５０は、回転軸１ところ４との間の転がり摩擦を利用し、いわゆる転がり軸受けとして機能する。
【００３０】
図２は、滑り軸受モード時の軸受け部５０の状態を示す。図２に示すように、固定軸１２は、回転軸１内の潤滑油経路７ａところ保持器３の潤滑油経路７ｂと外輪５の潤滑油経路７ｃとにわたって位置する。即ち、固定軸１２は、回転軸１と、ころ保持器３と、外輪５とが一体となって回転し、一体軸となるようにこれらを固定する。このとき、オイルポンプ９から供給された潤滑油の油圧（以後、「滑り潤滑油圧Ｐｓ」と呼ぶ。）により、外輪５とハウジング６との間が潤滑される。これにより、回転軸１ところ保持器３と外輪５とが一体となってハウジング６内を摺動する。このように、滑り軸受モード時では、軸受け部５０は、外輪５とハウジング６との間の滑り摩擦を利用し、いわゆる滑り軸受けとして機能する。
【００３１】
（制御方法）
次に、第１実施形態でＥＣＵ２２が実行する制御について説明する。ＥＣＵ２２は、運転状態に応じて転がり軸受モードと滑り軸受モードとを適切に切り替える。このようにすることで、ＥＣＵ２２は、摩擦損失低減により燃費を向上させると共に、軸受け部５０の高寿命及び低騒音を実現する。
【００３２】
これについて具体的に説明する。ＥＣＵ２２は、エンジン起動時、潤滑油の低油温時、及び／または軸受け部５０の低面圧時では、転がり軸受モードを選択する。即ち、ＥＣＵ２２は、これらの場合には、転がり軸受けは摩擦損失低減効果が高いと判断し、転がり軸受モードを選択する。具体的には、ＥＣＵ２２は、油圧調整バルブ８を閉じ、回転軸内潤滑油経路２から低圧の滑り潤滑油圧Ｐｓを発生させる。これにより、ＥＣＵ２２は、固定軸１２を第２ストッパ１１側に移動させ、ハウジング６と外輪５とを固定させる。即ち、ＥＣＵ２２は、軸受け部５０を図１に示す状態にする。このように、ＥＣＵ２２は、エンジン起動時等では転がり軸受モードを選択することで、摩擦損失を低減させ、燃費を向上させることができる。
【００３３】
一方、ＥＣＵ２２は、回転軸１の高回転時、潤滑油の高油温時、及び／または高面圧時では、滑り軸受モードを選択する。即ち、ＥＣＵ２２は、これらの場合、転がり軸受モードにすると摩擦損失が増大すると共に、騒音が高くなり、耐久性が低くなると判断し、滑り軸受モードを選択する。具体的には、ＥＣＵ２２は、油圧調整バルブ８の開度を大きくすることで、オイルポンプ９から高油圧の転がり潤滑油圧Ｐｒを発生させる。これにより、ＥＣＵ２２は、固定軸１２を第１ストッパ１０側へ移動させ、回転軸１ところ保持器３と外輪５とを一体に固定する。即ち、ＥＣＵ２２は、軸受け部５０を図２に示す状態にする。また、オイルポンプ９から供給される潤滑油により、ハウジング６と外輪５との間が潤滑される。このように、ＥＣＵ２２は、回転軸１の高回転時等では滑り軸受モードを選択することで、低燃費、高寿命、及び低騒音を実現することができる。
【００３４】
次に、図３を用いて、転がり軸受モードと滑り軸受モードとを切替える制御（以後、「モード切替制御」と呼ぶ。）についてさらに詳しく説明する。図３は、エンジン負荷と、エンジン回転数とに対応する転がり軸受モードの使用領域と滑り軸受モードの使用領域を示すマップの一例である。図３の領域４０は、滑り軸受モードを使用する領域を示し、領域４１は、転がり軸受けモードを使用する領域を示す。
【００３５】
図３に示すように、ＥＣＵ２２は、エンジン負荷とエンジン回転数が比較的低い場合、即ち、エンジン始動直後や低面圧、及び／または低油温の場合では、転がり軸受モードを選択することで、摩擦損失を低減させる。一方、ＥＣＵ２２は、エンジン負荷とエンジン回転数が比較的高い場合、即ち、高面圧及び高油圧となる場合では、滑り軸受モードを選択することで、軸受け部５０の高寿命や低騒音を実現する。
【００３６】
従って、ＥＣＵ２２は、例えば、各種センサに基づきエンジン負荷とエンジン回転数とを算出し、図３に示すようなマップ等を参照することで、転がり軸受モードと滑り軸受モードとを適宜切り替えることができる。この場合、例えば、図３に示すようなマップ等を予め実験等に基づき適切に定めておき、ＥＣＵ２２は、メモリ等に予め保持しておく。このようにすることで、ＥＣＵ２２は、適切に転がり軸受モードと滑り軸受モードとを切り替えることができる。
【００３７】
次に、第１実施形態における効果について図４を用いて補足説明する。
【００３８】
図４は、ストライべック線図を示す。即ち、図４は、軸受けの摩擦係数と、潤滑油の粘度に軸の回転速度を乗じたものを面圧（荷重）で除した値と、の関係を示す線図である。破線枠６１は、転がり軸受けで使用される部分に対応する。破線枠６２は、滑り軸受けで使用される部分に対応する。
【００３９】
一般的に、転がり軸受けは、回転軸と転動接触（即ち、線接触）しているため、エンジン起動時の起動トルクが低く、また、潤滑油の粘性の影響を受けにくい。即ち、この場合、図４に示すように、転がり軸受けは混合潤滑状態にある。従って、転がり軸受けは、低油温時の摩擦損失が滑り軸受けと比べて低いというメリットがある。但し、高油温、高面圧、高負荷時では、転がり軸受けは、線接触のため面圧が高く、油膜切れにより境界潤滑状態となる。従って、この場合、逆に摩擦損失が増大し、軸受けの摩耗が進むため、転がり軸受けの耐久性が低くなるという問題がある。
【００４０】
一方、滑り軸受けは、面接触のため、油膜を形成しやすく、耐久性に優れる。しかし、図４に示すように、滑り軸受けは、流体潤滑状態のため、潤滑油の粘性の影響が大きい。従って、低油温時は摩擦損失が増大し、起動トルクも大きいという問題がある。
【００４１】
以上を考慮し、第１実施形態では、ＥＣＵ２２は、運転状態に応じて、転がり軸受けと滑り軸受けとを適切に使い分けている。従って、ＥＣＵ２２は、大幅な摩擦損失の低減を実行することができる。
【００４２】
（処理フロー）
次に、本実施形態における処理の手順について説明する。図５は、本実施形態での処理手順を表すフローチャートの一例である。ＥＣＵ２２は、このフローチャートの処理を、例えば所定周期に従い繰り返し実行する。
【００４３】
まず、ＥＣＵ２２は、エンジン起動時等であるか否かについて判定する（ステップＳ１００）。即ち、ＥＣＵ２２は、エンジン起動時であるか、低油温時、低面圧時であるか否かについて判断する。例えば、ＥＣＵ２２は、図３のマップ等を参照して、エンジン回転数とエンジン負荷とに基づき領域４０と領域４１とのいずれに該当するかについて判定する。
【００４４】
そして、エンジン起動時等であると判定した場合（ステップＳ１００；Ｙｅｓ）、ＥＣＵ２２は、転がり軸受モードを選択する（ステップＳ１０２）。そして、ＥＣＵ２２は、以下のステップＳ１０２乃至ステップＳ１０４の処理を実行することで、軸受け部５０を図１に示す状態にする。具体的には、ＥＣＵ２２は、油圧調整バルブ８を閉じる（ステップＳ１０２）。そして、ＥＣＵ２２は、回転軸１内から転がり潤滑油圧Ｐｒを発生させる（ステップＳ１０３）。これにより、ＥＣＵ２２は、固定軸１２を第２ストッパ１１まで移動させ、ハウジング６と外輪５とを一体に固定する。同時に、ＥＣＵ２２は、回転軸１、ころ４、外輪５間を潤滑させる（ステップＳ１０４）。以上のようにすることで、ＥＣＵ２２は、エンジンの起動時等では、軸受け部５０を、起動トルクが低く潤滑油の粘性の影響を受けにくい転がり軸受けとして機能させることで、摩擦損失を減らし、燃費を向上させることができる。
【００４５】
一方、エンジン起動時等ではない場合（ステップＳ１００；Ｎｏ）、即ち、高負荷、高油圧等の場合、ＥＣＵ２２は、滑り軸受モードを選択する（ステップＳ１０５）。そして、ＥＣＵ２２は、以下のステップＳ１０６乃至ステップＳ１０８を実行することで、軸受け部５０を図２に示す状態にする。具体的には、ＥＣＵ２２は、油圧調整バルブ８を開く（ステップＳ１０６）。そして、ＥＣＵ２２は、オイルポンプ９から滑り潤滑油圧Ｐｓを発生させる（ステップＳ１０７）。これにより、ＥＣＵ２２は、固定軸１２を第１ストッパ１０まで移動させ、回転軸１と、ころ保持器３と、外輪５とを一体に固定する。同時に、ＥＣＵ２２は、外輪５、ハウジング６間を潤滑する（ステップＳ１０８）。以上のようにすることで、ＥＣＵ２２は、高面圧、高油温時では、軸受け部５０を、油膜を形成しやすく耐久性に優れた滑り軸受けとして機能させることで、摩擦損失を減らし、騒音を低減し、耐久性を高めることができる。
【００４６】
［第２実施形態］
第１実施形態では、ＥＣＵ２２は、固定軸１２の位置を制御することで、外輪５とハウジング６とを一体に固定させた転がり軸受モードと、回転軸１ところ保持器３と外輪５とを一体に固定させた滑り軸受モードとを運転状態に応じて切り替えた。これに加え、第２実施形態では、ＥＣＵ２２は、上述の転がり軸受モードと滑り軸受モードとの中間状態（遷移状態）を意図的に形成することで、モード切替時に発生するショックを抑制する。
【００４７】
これについて図６を用いて説明する。なお、第２実施形態の内燃機関の軸受け装置１００の構成は、第１実施形態と同様であるため、各構成の説明は省略する。
【００４８】
図６（ａ）は、モード切替制御の初期段階（即ち、開始直後）での軸受け部５０の状態を示す。
【００４９】
図６（ａ）に示す初期段階では、ＥＣＵ２２は、油圧調整バルブ８を全閉にした状態から、油圧調整バルブ８を徐々に開け、固定軸１２を回転軸１の方向に移動させ始める。即ち、ＥＣＵ２２は、油圧調整バルブ８を徐々に開くことにより、転がり潤滑油圧Ｐｒよりも滑り潤滑油圧Ｐｓを大きくする。言い換えると、ＥＣＵ２２は、以下の式（１）が成立するように油圧調整バルブ８を制御する。
Ｐｒ≦Ｐｓ          式（１）
また、初期段階では、ハウジング６と外輪５とが固定軸１２で固定されており、軸受け部５０は転がり軸受けとして機能している。従って、この場合、外輪５はハウジング６に固定されて静止すると共に、ころ４は外輪５の内面を摺動する。即ち、回転軸１の回転数を「Ｎ１」、ころ保持器３の回転数を「Ｎ３」、外輪５の回転数を「Ｎ５」とすると、初期段階では以下の式（２）が成立する。
Ｎ１＞Ｎ３＞Ｎ５＝０        式（２）
図６（ｂ）は、モード切替制御の遷移段階での軸受け部５０の状態を示す。
【００５０】
遷移段階では、ＥＣＵ２２は、油圧調整バルブ８を初期段階時の制御よりもさらに開け、固定軸１２を、図６（ｂ）に示すように、ころ保持器３と外輪５とを一体に固定する位置に移動させる。このとき、ＥＣＵ２２は、例えば、図示しない固定軸１２の位置センサの検出値等に基づき、油圧調整バルブ８の開度を制御してもよい。
【００５１】
そして、固定軸１２をころ保持器３と外輪５とを一体に固定する位置に移動させた後、ＥＣＵ２２は、転がり潤滑油圧Ｐｒと滑り潤滑油圧Ｐｓとが等油圧になるように制御する。即ち、ＥＣＵ２２は、図６（ｂ）の状態後は、以下の式（３）が成立するように油圧調整バルブ８の開度を制御する。
Ｐｒ＝Ｐｓ        式（３）
また、図６（ｂ）に示す遷移段階では、ころ保持器３と外輪５とが固定軸１２で一体となって固定されている。従って、ころ保持器３と外輪５とは、ハウジング６内を一体となって摺動する。即ち、図６（ｂ）の状態では、以下の式（４）が成立する。
Ｎ１＞Ｎ３＝Ｎ５        式（４）
このように、遷移段階では、ＥＣＵ２２は、ころ保持器３と外輪５とを一体に固定し、これらの回転数と回転軸１の回転数との回転数差が縮小するまで待機する。
【００５２】
図６（ｃ）は、モード切替制御の終了段階、即ち、転がり軸受モードから滑り軸受モードへの遷移が終了する段階での軸受け部５０の状態を示す。
【００５３】
終了段階では、まず、ＥＣＵ２２は、遷移段階に引き続いて外輪５ところ保持器３との固定を維持しつつ、転がり潤滑油圧Ｐｒと滑り潤滑油圧Ｐｓとを共に増大させる。このとき、ＥＣＵ２２は、例えば油圧調整バルブ８の開度を調整したり、滑り潤滑油圧Ｐｓを加圧可能な回転軸１内の電動オイルポンプ等を駆動させることで、転がり潤滑油圧Ｐｒと滑り潤滑油圧Ｐｓとを共に増大させる。これにより、ＥＣＵ２２は、ころ４が摺動する抵抗を増大させて、回転軸１ところ保持器３及び外輪５との回転数の差を、固定軸１２の移動に際しショックが発生しない範囲まで縮める。上述の範囲は、例えば実験等により適切に定められる。
【００５４】
さらに、回転軸１ところ保持器３及び外輪５との回転数の差が縮小した後、ＥＣＵ２２は、油圧調整バルブ８を全開にすることで、転がり潤滑油圧Ｐｒよりも滑り潤滑油圧Ｐｓを大きくする。即ち、ＥＣＵ２２は、以下の式（５）が成立するように、油圧調整バルブ８を調整する。
Ｐｒ＜Ｐｓ      式（５）
これにより、ＥＣＵ２２は、図６（ｃ）に示すように、固定軸１２を第１ストッパ１０まで移動させる。このとき、回転軸１の回転数Ｎ１と、ころ保持器３の回転数Ｎ３及び外輪５の回転数Ｎ５と、の回転数の差は、固定軸１２の潤滑油経路７ａへの移動に起因したショックが発生しない範囲内にある。従って、ＥＣＵ２２は、ショックを発生させることなく固定軸１２を第１ストッパ１０まで移動させることができる。
【００５５】
そして、上述の処理により、回転軸１ところ保持器３と外輪５とは、図６（ｃ）に示すように、固定軸１２で一体に固定される。従って、この場合、回転軸１ところ保持器３と外輪５とが一体となってハウジング６内を摺動する。即ち、図６（ｃ）に示す状態では、以下の式（６）が成立する。
Ｎ１＝Ｎ３＝Ｎ５      式（６）
このように、図６（ｃ）に示す終了段階では、ＥＣＵ２２は、回転軸１の回転数ところ保持器３及び外輪５の回転数との回転数差を縮小させた後、固定軸１２を回転軸１内の潤滑油経路７ａに挿入させる。これにより、ＥＣＵ２２は、軸受け部５０を、滑り軸受けとして機能させることができる。
【００５６】
以上のように、第２実施形態では、ＥＣＵ２２は、転がり軸受モードから滑り軸受モードへのモード切替に起因したショックの発生を抑制することができる。
【００５７】
（変形例）
上述の第２実施形態では、転がり軸受モードから滑り軸受モードへのモード切替制御について述べた。しかし、本発明が適用可能な場面はこれに限らず、滑り軸受モードから転がり軸受モードへ切り替える場合にも本発明を適用してもよい。この場合、例えば、ＥＣＵ２２は、上述した制御を逆方向に実行する。即ち、ＥＣＵ２２は、上述した油圧調整バルブ８の制御などにより、転がり潤滑油圧Ｐｒと滑り潤滑油圧Ｐｓとを調整し、軸受け部５０を図６（ｃ）の状態から図６（ｂ）、そして図６（ａ）へと遷移させる。このようにすることで、ＥＣＵ２２は、滑り軸受モードから転がり軸受モードへ切り替える場合でも、モード切替に起因したショックの発生を抑制することができる。
【００５８】
［第３実施形態］
第３実施形態では、内燃機関の軸受け装置１００はハイブリッド車両に搭載される。そして、第１及び第２実施形態の制御に代えて、または加えて、ＥＣＵ２２は、ＥＶ走行中に、モーターで回転軸を移動させることにより潤滑油経路７ａ乃至７ｄの位置を調整すると共に、転がり潤滑油圧Ｐｒ及び滑り潤滑油圧Ｐｓを制御することで、滑り軸受モードから転がり軸受モードへの切替えを実行する。以下では、まず、ハイブリッド車両の構成について説明した後、ＥＣＵ２２が実行する具体的な制御方法について説明する。なお、内燃機関の軸受け装置１００の構成は第１実施形態と同様であるため、内燃機関の軸受け装置１００の構成の説明は省略する。
【００５９】
（車両の構成）
まず、第３実施形態の内燃機関の軸受け装置１００を適用したハイブリッド車両について説明する。図７は、車両２００の概略構成を示す図である。車両２００は、主に、エンジン３１と、車軸３２と、車輪３３と、モータ（モータジェネレータ）ＭＧ１、ＭＧ２と、プラネタリギヤ３４と、インバータ３５と、バッテリ３６と、ＥＣＵ２２と、を備える。以後、ハイブリッド車両２００の各構成要素について説明する。
【００６０】
車軸３２は、エンジン３１及びモータＭＧ２の動力を車輪３３に伝達する動力伝達系の一部である。車輪３３は、ハイブリッド車両２００の車輪であり、説明の簡略化のため、図１では特に左右前輪のみが表示されている。
【００６１】
モータＭＧ１は、主としてバッテリ３６を充電するための発電機、或いはモータＭＧ２に電力を供給するための発電機として機能するように構成されている。また、モータＭＧ２は、主としてエンジン１の出力をアシスト（補助）する電動機として機能するように構成され、車軸３２に動力を伝達することができるように構成されている。モータＭＧ２の回転数は、ＥＣＵ２２によって制御される。
【００６２】
これらのモータＭＧ１及びモータＭＧ２は、例えば同期電動発電機として構成され、外周面に複数個の永久磁石を有するロータと、回転磁界を形成する三相コイルが巻回されたステータとを備える。
【００６３】
プラネタリギヤ（遊星歯車機構）３４は、エンジン１の出力をモータＭＧ１及び車軸３２へ分配することが可能に構成され、動力分割機構として機能する。
【００６４】
インバータ３５は、バッテリ３６と、モータＭＧ１及びモータＭＧ２との間の電力の入出力を制御する直流交流変換機である。例えば、インバータ３５は、バッテリ３６から取り出した直流電力を交流電力に変換して、或いはモータＭＧ１によって発電された交流電力をそれぞれモータＭＧ２に供給すると共に、モータＭＧ１によって発電された交流電力を直流電力に変換してバッテリ３６に供給することが可能に構成されている。
【００６５】
バッテリ３６は、モータＭＧ１及びモータＭＧ２を駆動するための電源として機能することが可能に構成された充電可能な蓄電池である。
【００６６】
なお、上述の車両の構成は一例であり、本発明が適用可能な構成はこれに限定されない。例えば、車両２００は、上述の構成に加えて、外部電源からの電力をバッテリ１０６に充電可能な外部充電装置を備えてもよい。さらに、車両２００は、上述の構成に代えて、モータＭＧ１とモータＭＧ２とが一体のモータにより構成されてもよい。以後、モータＭＧ１とモータＭＧ２とを特に区別せず、単に「モータ」と称す。
【００６７】
（制御方法）
次に、第３実施形態においてＥＣＵ２２が実行する制御について図８を用いて説明する。図８は、エンジンを停止してモータの動力により車両２００が駆動している時（即ち、ＥＶ走行時）の軸受け部５０の構成の一例を示す。具体的には、図８（ａ）は、滑り軸受モードでの軸受け部５０の構成を示す。図８（ｂ）は、転がり軸受モードでの軸受け部５０の構成を示す。以下では、図８（ａ）の状態から図８（ｂ）の状態へ遷移させる制御について説明する。
【００６８】
まず、ＥＣＵ２２は、図８（ａ）に示す状態で、油圧調整バルブ８を全閉にすると共に、外輪５内の潤滑油経路７ｃの延在方向とハウジング６内の潤滑油経路７ｄの延在方向とが一致する位置、即ち、潤滑油経路７ｃと潤滑油経路７ｄとが略直線上に位置するようにモータで回転軸１を微回転させる。即ち、ＥＣＵ２２は、固定軸１２がハウジング６内の潤滑油経路７ｄへ移動可能なように、モータリングを行うことで外輪５内の潤滑油経路７ｃの位置を調整する。この場合、例えば、内燃機関の軸受け装置１００は、潤滑油経路７ｃと潤滑油経路７ｄとが一致したか否かを判定可能なセンサを有してもよい。
【００６９】
そして、ＥＣＵ２２は、上述のモータによる回転軸１の回転に起因した転がり潤滑油圧Ｐｒにより、または、図示しない電動オイルポンプから供給される転がり潤滑油圧Ｐｒにより、固定軸１２をハウジング６内の潤滑油経路７ｄに設置された第２ストッパ１１まで移動させる。これにより、ＥＣＵ２２は、図８（ｂ）に示すように、外輪５とハウジング６とを固定することで、転がり軸受モードへの切替えを完了する。
【００７０】
以上のように、内燃機関の軸受け装置１００は、ハイブリッド車両に搭載された場合に、モータの動力を利用することで、適切に滑り軸受モードから転がり軸受モードへ切り替えることができる。
【００７１】
（変形例１）
上述の第３実施形態では、滑り軸受モードから転がり軸受モードへのモード切替制御について説明した。一方、これに加えて、本実施形態は、転がり軸受モードから滑り軸受モードへ切り替える場合にも適用可能である。この具体例について以下説明する。
【００７２】
ＥＣＵ２２は、ＥＶ走行中に、図８（ｂ）に示す転がり軸受モードの状態で、上述の説明と同様に、モータにより回転軸１を微回転させることにより、外輪５内の潤滑油経路７ｃと、ころ保持器３内の潤滑油経路７ｂと、回転軸１内の潤滑油経路７ａとを略直線上に一致させる。そして、ＥＣＵ２２は、油圧調整バルブ８を開き滑り潤滑油圧Ｐｓを発生させることで、固定軸１２を第１ストッパ１０まで移動させる。
【００７３】
他の例として、ＥＣＵ２２は、ころ保持器３内の潤滑油経路７ｂと外輪５内の潤滑油経路７ｃとを一致させた後、油圧調整バルブ８を開く。これにより、ＥＣＵ２２は、固定軸１２をころ保持器３と外輪５とにわたる位置に移動させる。そして、その後、ＥＣＵ２２は、回転軸１の潤滑油経路７ａところ保持器３の潤滑油経路７ｂを一致させた後、固定軸１２を回転軸１内の第１ストッパ１０まで移動させる。
【００７４】
以上のように、ＥＣＵ２２は、転がり軸受モードから滑り軸受モードへのモード切替についても適切に実行することができる。
【００７５】
（変形例２）
第３実施形態での制御は、第２実施形態と組み合わせて（または使い分けて）適用することもできる。
【００７６】
具体的には、ＥＣＵ２２は、エンジン３１の急加減速時では、エンジン３１が停止してから第３実施形態の制御を実行する。即ち、急加減速時で第２実施形態のモード切替制御を実行した場合、回転軸１の回転数Ｎ１と外輪５の回転数Ｎ５との回転数差が大きく、かつ、モード切替の実行時間が短い。従って、この場合、モード切替に起因したショックが増大する可能性があることから、ＥＣＵ２２は、エンジン３１の作動時では、モード切替制御を実行しない。
【００７７】
一方、ＥＣＵ２２は、定常運転時では、第２実施形態の制御によりモード切替制御を実行する。即ち、この場合、回転軸１の回転数Ｎ１と外輪５の回転数Ｎ５との回転数差が比較的小さく、かつ、モード切替制御の実行時間を十分確保できる。従って、第２実施形態のモード切替制御を実行することにより、ＥＣＵ２２は、モード切替に起因したショックの発生を抑制することができる。
【００７８】
また、ＥＣＵ２２は、走行状態にかかわらず、モータの動力を利用することで、所定時間幅のエンジン３１の定常状態をつくり、第２実施形態の制御を実行してもよい。即ち、ＥＣＵ２２は、第２実施形態のモード切替制御の実行時間確保のため、意図的にエンジン３１の定常状態を生成してもよい。上述の所定時間幅は、例えば、第２実施形態のモード切替制御をショックを発生させることなく実行するのに十分な時間幅に設定され、具体的には、実験等により適切な値に設定される。このようにすることで、ＥＣＵ２２は、第３実施形態の制御に要する電力消費分を抑制することができる。即ち、ＥＣＵ２２は、意図的に第２実施形態のモード切替制御を実行することで、ＥＶ走行中に回転軸１を微回転させ、電動ポンプにより転がり潤滑油圧Ｐｒを発生させる電力消費を低減することができる。
【００７９】
［第４実施形態］
上述の第１実施形態乃至第３実施形態では、ＥＣＵ２２は、油圧を調整することにより潤滑油経路７内で固定軸１２を移動させて転がり軸受モードと滑り軸受モードとを切り替えていた。これに代えて、またはこれに加えて、第４実施形態では、ＥＣＵ２２は、アッパーハウジング６ｘとロアハウジング６ｙとの締付力を調整することで、転がり軸受モードと滑り軸受モードとを切り替える。このようにすることで、ＥＣＵ２２は、モード切替に起因したショックをより低減させることができる。以下では、第４実施形態の軸受け部５０の構成について説明した後、ＥＣＵ２２が実行する制御について具体的に説明する。
【００８０】
図９は、第４実施形態における内燃機関の軸受け装置１００の構成の一例を示す。図９に示すように、軸受け部５０は、通路７１と、ハウジング軸力調整用ポンプ７９と、油圧伝達部材７５とを有する。
【００８１】
ハウジング軸力調整用ポンプ７９は、通路７１上に設けられ、通路７１及び油圧伝達部材７５中の油圧を上昇させる。ハウジング軸力調整用ポンプ７９は、ＥＣＵ２２の制御信号Ｓ７９に基づき駆動される。油圧伝達部材７５は、アッパーハウジング６ｘまたはロアハウジング６ｙと接続し、アッパーハウジング６ｘとロアハウジング６ｙとの締付力を調整するための油（以後、「軸力調整油ＯＬ」と呼ぶ。）を保持する。即ち、軸力調整油ＯＬは、油圧伝達部材７５とアッパーハウジング６ｘとにより囲まれる。従って、油圧伝達部材７５は、ハウジング軸力調整用ポンプ７９から供給された油圧（以後、「軸力調整油圧Ｐａ」と呼ぶ。）をアッパーハウジング６ｘに伝達する。なお、第４実施形態の軸受け部５０には、ころ保持器３内の潤滑油経路７ｂ及び外輪５内の潤滑油経路７ｃは設けられていない。
【００８２】
次に、転がり軸受モードと滑り軸受モードとでＥＣＵ２２が実行する制御についてそれぞれ説明する。
【００８３】
転がり軸受モードでは、ＥＣＵ２２は、ハウジング軸力調整用ポンプ７９を起動させ、軸力調整油圧Ｐａを発生させると共に、油圧調整バルブ８を全閉にすることで、ハウジング６と外輪５間の隙間（クリアランス）を小さくする。即ち、ＥＣＵ２２は、ハウジング軸力調整用ポンプ７９を起動させてアッパーハウジング６ｘとロアハウジング６ｙとの締付力を増大させることにより、ハウジング６と外輪５間の摩擦を増やす。
【００８４】
さらに、ＥＣＵ２２は、油圧調整バルブ８を全閉にすることで、ハウジング６と外輪５間への潤滑油の流れを止める。以上のようにすることで、ＥＣＵ２２は、ハウジング６と外輪５とを固定し、軸受け部５０を転がり軸受けとして機能させることができる。
【００８５】
滑り軸受モードでは、ＥＣＵ２２は、ハウジング軸力調整用ポンプ７９を停止させることで、ハウジング６の締付力を弱め、ハウジング６と外輪５間にクリアランスを拡大させる。さらに、ＥＣＵ２２は、油圧調整バルブ８を全開にすることで、ハウジング６と外輪５間を潤滑油により潤滑する。さらに、ＥＣＵ２２は、転がり潤滑油圧Ｐｒを過大にすることで、ころ４の摺動抵抗を増大させる。例えば、ＥＣＵ２２は、転がり潤滑油圧Ｐｒを図示しない電動オイルポンプ等により加圧してもよい。このようにすることで、ＥＣＵ２２は、回転軸１の回転数Ｎ１と、ころ保持器３の回転数Ｎ３と、外輪５の回転数Ｎ５との回転数差を縮小させ、これらを一体軸化することができる。即ち、ＥＣＵ２２は、上述の制御により、軸受け部５０を滑り軸受けとして機能させることができる。
【００８６】
以上のように、ＥＣＵ２２は、転がり軸受モードと滑り軸受モードとでそれぞれ上述の制御を実行することで、モード切替時のショックを低減させることが可能となる。
【符号の説明】
【００８７】
１  回転軸
２  回転軸内潤滑油経路
３  ころ保持器
４  ころ
５  外輪
６  ハウジング
７  潤滑油経路
８  油圧調整バルブ
９  オイルポンプ
１０  第１ストッパ
１１  第２ストッパ
１２  固定軸
２０  アクセル開度センサ
２１  回転数センサ
２２  ＥＣＵ
３１  エンジン
３６  バッテリ
５０  軸受け部
１００  内燃機関の軸受け装置
【図１】
2010196835.tif 000003
【図２】
2010196835.tif 000004
【図３】
2010196835.tif 000005
【図４】
2010196835.tif 000006
【図５】
2010196835.tif 000007
【図６】
2010196835.tif 000008
【図７】
2010196835.tif 000009
【図８】
2010196835.tif 000010
【図９】
2010196835.tif 000011